(57)【要約】【課題】揮発性物質の揮発を促進し、揮発性物質を十分に放出することが目的とされる。【解決手段】室内空気保全システムは、空調機２、換気装置３、センサ４及び制御部５を備え、例えば室内１に設けられる。空調機２は室内１を暖房する。センサ４は、室内１の揮発性物質１１の濃度を測定する。換気装置３は、室内を換気して、室内の空気に含まれる揮発性物質１１を除去する。制御部５は、空調機２、センサ４及び換気装置３を次のように制御する。つまり、（ａ）空調機２により所定時間で暖房を行い、（ｂ）センサ４で揮発性物質１１の濃度を測定する。（ｃ）その後、換気装置３により室内を換気する。そして、揮発性物質１１の濃度が所定の閾値より小さくなるまで、（ａ）〜（ｃ）の制御を繰り返す。【選択図】図１
2006046847.tif 000002
【特許請求の範囲】
【請求項１】
（ａ）第１の所定時間（Ｔ１）で室内（１）の暖房を行う工程と、
（ｂ）前記工程（ａ）の後、前記室内の揮発性物質（１１）の濃度（ｎ）を測定する工程と、
（ｃ）前記工程（ｂ）の後、前記室内の空気に含まれる前記揮発性物質の除去を行う工程と
を備え、
前記濃度が所定の閾値（ε１）以上であれば、前記工程（ａ）〜（ｃ）を繰り返す、室内空気保全方法。
【請求項２】
（ｘ）第２の所定時間（Ｔ２）で前記室内（１）の暖房を行う工程と、
（ｙ）前記工程（ｘ）の後、前記室内の空気に含まれる前記揮発性物質（１１）の除去を行う工程と
を、前記工程（ａ）の前に更に備える、請求項１記載の室内空気保全方法。
【請求項３】
（ａ）室内（１）の揮発性物質（１１）の濃度（ｎ）を測定し、これが所定値（ε２）に達するまで、前記室内の暖房を行う工程と、
（ｂ）前記工程（ａ）の後、前記室内の空気に含まれる前記揮発性物質の除去を行う工程と
を備える、室内空気保全方法。
【請求項４】
前記揮発性物質（１１）は、前記室内（１）にある部材（１００）に含まれ、
前記所定値（ε２）は、前記部材の前記揮発性物質の含有量と、前記室内の環境とに基づいて求められる、請求項３記載の室内空気保全方法。
【請求項５】
前記ステップ（ｂ）は前記濃度（ｎ）が所定の閾値未満となるまで続けられる、請求項３または請求項４記載の室内空気保全方法。
【請求項６】
前記暖房は、通常設定される室温より高い温度で実行される、請求項１乃至請求項５のいずれか一つに記載の室内空気保全方法。
【請求項７】
前記揮発性物質（１１）は、前記室内（１）にある部材（１００）に含まれ、
前記暖房は、前記部材が損傷される温度未満で実施される、請求項６記載の室内空気保全方法。
【請求項８】
前記揮発性物質（１１）は、前記室内（１）にある部材（１００）に含まれ、
前記室内の温度を高める場合には、前記部材が損傷される昇温速度未満で前記暖房を行う、請求項６または請求項７記載の室内空気保全方法。
【請求項９】
前記除去では、前記室内を換気する、請求項１乃至請求項８のいずれか一つに記載の室内空気保全方法。
【請求項１０】
前記除去では、前記揮発性物質の捕集及び分解の少なくとも一方を行う、請求項１乃至請求項８のいずれか一つに記載の室内空気保全方法。
【請求項１１】
室内（１）の暖房を行う空調機（２）と、
前記室内の揮発性物質（１１）の濃度（ｎ）を測定するセンサ（４）と、
前記室内の空気に含まれる前記揮発性物質の除去を行う除去部（３；６）と、
制御部（５）と
を備え、
前記制御部は、
（ａ）前記空調機により第１の所定時間（Ｔ１）で前記暖房を行う制御と、
（ｂ）前記制御（ａ）の後、前記センサにより前記濃度を測定する制御と、
（ｃ）前記制御（ｂ）の後、前記除去部により前記除去を行う制御と
を実行し、
前記濃度が所定の閾値（ε１）以上であれば、前記制御部は前記制御（ａ）〜（ｃ）を繰り返す、室内空気保全システム。
【請求項１２】
前記制御部（５）は、
（ｘ）前記空調機（２）により第２の所定時間（Ｔ２）で前記暖房を行う制御と、
（ｙ）前記制御（ｘ）の後、前記除去部（３；６）により前記除去を行う制御と
を、前記制御（ａ）の前に実行する、請求項１１記載の室内空気保全システム。
【請求項１３】
室内（１）の暖房を行う空調機（２）と、
前記室内の揮発性物質（１１）の濃度（ｎ）を測定するセンサ（４）と、
前記室内の空気に含まれる前記揮発性物質の除去を行う除去部（３；６）と、
制御部（５）と
を備え、
前記制御部は、
（ａ）前記センサにより前記濃度を測定し、これが所定値（ε２）に達するまで前記空調機により前記暖房を行う制御と、
（ｂ）前記制御（ａ）の後、前記除去部により前記除去を行う制御と
を実行する、室内空気保全システム。
【請求項１４】
前記揮発性物質（１１）は、前記室内（１）にある部材（１００）に含まれ、
前記所定値（ε２）は、前記部材の前記揮発性物質の含有量と、前記室内の環境とに基づいて求められる、請求項１３記載の室内空気保全システム。
【請求項１５】
前記制御（ｂ）は前記濃度（ｎ）が所定の閾値未満となるまで続けられる、請求項１３または請求項１４記載の室内空気保全システム。
【請求項１６】
前記暖房は、通常設定される室温より高い温度で実行される、請求項１１乃至請求項１５のいずれか一つに記載の室内空気保全システム。
【請求項１７】
前記揮発性物質（１１）は、前記室内（１）にある部材（１００）に含まれ、
前記暖房は、前記部材が損傷される温度未満で実施される、請求項１６記載の室内空気保全システム。
【請求項１８】
前記揮発性物質（１１）は、前記室内（１）にある部材（１００）に含まれ、
前記室内の温度を高める場合には、前記部材が損傷される昇温速度未満で前記暖房を行う、請求項１６または請求項１７記載の室内空気保全システム。
【請求項１９】
前記除去部（３）は換気装置であって、
前記除去では、前記換気装置により前記室内を換気する、請求項１１乃至請求項１８のいずれか一つに記載の室内空気保全システム。
【請求項２０】
前記除去部（６）は空気清浄機であって、
前記除去では、前記空気清浄機により前記揮発性物質（１１）の捕集及び分解の少なくとも一方を行う、請求項１１乃至請求項１８のいずれか一つに記載の室内空気保全システム。
【請求項２１】
前記室内の揮発性物質（１１）の濃度（ｎ）を測定するセンサ（４）と、
前記室内の空気に含まれる前記揮発性物質の除去を行う除去部（３１）と、
制御部（５）と
を備え、
前記制御部は、
（ａ）第１の所定時間（Ｔ１）で暖房を行う制御と、
（ｂ）前記制御（ａ）の後、前記センサにより前記濃度を測定する制御と、
（ｃ）前記制御（ｂ）の後、前記除去部により前記除去を行う制御と
を実行し、
前記濃度が所定の閾値（ε１）以上であれば、前記制御部は前記制御（ａ）〜（ｃ）を繰り返す、空調機。
【請求項２２】
前記制御部（５）は、
（ｘ）第２の所定時間（Ｔ２）で前記暖房を行う制御と、
（ｙ）前記制御（ｘ）の後、前記除去部（３１）により前記除去を行う制御と
を、前記制御（ａ）の前に実行する、請求項２１記載の空調機。
【請求項２３】
前記室内の揮発性物質（１１）の濃度（ｎ）を測定するセンサ（４）と、
前記室内の空気に含まれる前記揮発性物質の除去を行う除去部（３１）と、
制御部（５）と
を備え、
前記制御部は、
（ａ）前記センサにより前記濃度を測定し、これが所定値（ε２）に達するまで暖房を行う制御と、
（ｂ）前記制御（ａ）の後、前記除去部により前記除去を行う制御と
を実行する、空調機。
【請求項２４】
前記揮発性物質（１１）は、前記室内（１）にある部材（１００）に含まれ、
前記所定値（ε２）は、前記部材の前記揮発性物質の含有量と、前記室内の環境とに基づいて求められる、請求項２３記載の空調機。
【請求項２５】
前記制御（ｂ）は前記濃度（ｎ）が所定の閾値未満となるまで続けられる、請求項２３または請求項２４記載の空調機。
【請求項２６】
前記暖房は、通常設定される室温より高い温度で実行される、請求項２１乃至請求項２５のいずれか一つに記載の空調機。
【請求項２７】
前記揮発性物質（１１）は、前記室内（１）にある部材（１００）に含まれ、
前記暖房は、前記部材が損傷される温度未満で実施される、請求項２６記載の空調機。
【請求項２８】
前記揮発性物質（１１）は、前記室内（１）にある部材（１００）に含まれ、
前記室内の温度を高める場合には、前記部材が損傷される昇温速度未満で前記暖房を行う、請求項２６または請求項２７記載の空調機。
【請求項２９】
前記除去部（３１）は前記室内を換気する、請求項２１乃至請求項２８のいずれか一つに記載の空調機。
【請求項３０】
前記除去部（３１）は前記揮発性物質（１１）を捕集及び分解の少なくとも一方を行う、請求項２１乃至請求項２８のいずれか一つに記載の空調機。
【発明の詳細な説明】
【技術分野】
【０００１】
本発明は、室内空気保全方法および室内空気保全システム並びに空調機に関し、例えば室内のベイクアウト処理に適用できる。
【背景技術】
【０００２】
建造物や家具に使用される材木などには、防腐処理等を施す際に揮発性有機化合物（ＶＯＣ：Volatile Organic Compound）等の揮発性物質が含まる。従って、このような材木を使用して作られた建造物や家具等には、多くの揮発性物質が含まれる。
【０００３】
揮発性物質は、常温でも揮発し、温度上昇とともに揮発しやすくなる。それゆえ、室内において揮発性物質が充満する可能性がある。特に新築の建造物には多くの揮発性物質が含まれるため、その室内は揮発性物質で充満されやすい。揮発性物質は人にとって有害なものも多く室内に揮発性物質が充満した状態で放置すること、更に言うと建造物等に揮発性物質が多く含まれた状態で放置することは望ましくない。
【０００４】
そこで従来から、室内を積極的に換気することで、室内の揮発性物質の濃度を低減している。また、室内をベイクアウト処理することで、材木などに含まれる揮発性物質の量を低減し、以って室内の揮発性物質の濃度を低減している。
【０００５】
なお、初期設定されてから所定時間の経過後に換気する技術が、特許文献１に開示されている。また、室内の有毒ガス濃度を検出し、その濃度が所定値を超えれば換気する技術が、特許文献２に開示されている。その他本発明に関連する技術が、特許文献３，４に開示されている。
【０００６】
【特許文献１】特開平１０−１２２６１３号公報
【特許文献２】特開平１１−２１１１６５号公報
【特許文献３】特開２００２−２５７８１１号公報
【特許文献４】特開平１０−１４１６７６号公報
【発明の開示】
【発明が解決しようとする課題】
【０００７】
しかしながら、換気するだけでは、室内の揮発性物質の濃度が一次的に低減されるだけであって、再びその濃度が高くなり、人に害を及ぼす可能性がある。
【０００８】
また、従来のベイクアウト処理を行った後でも、揮発性物質の濃度が人に害を及ぼす程度に迄高まる可能性がある。つまり、材木等の種類や状態によらずに、処理を施す時間及び温度を設定し、その条件でベイクアウト処理していた。材木などに含まれる揮発性物質には、複数種の化合物が含まれており、種類毎に含有量及び揮発する速度がそれぞれ異なる。従って、上記条件でベイクアウト処理しても、種類によっては、その含有量が十分に低減していない場合もありえる。
【０００９】
本発明は、上述の事情に鑑みてなされたものであり、揮発性物質の揮発を促進し、揮発性物質を十分に放出することが目的とされる。
【課題を解決するための手段】
【００１０】
この発明の請求項１にかかる室内空気保全方法は、（ａ）第１の所定時間（Ｔ１）で室内（１）の暖房を行う工程と、（ｂ）前記工程（ａ）の後、前記室内の揮発性物質（１１）の濃度（ｎ）を測定する工程と、（ｃ）前記工程（ｂ）の後、前記室内の空気に含まれる前記揮発性物質の除去を行う工程とを備え、前記濃度が所定の閾値（ε１）以上であれば、前記工程（ａ）〜（ｃ）を繰り返す。
【００１１】
この発明の請求項２にかかる室内空気保全方法は、請求項１記載の室内空気保全方法であって、（ｘ）第２の所定時間（Ｔ２）で前記室内（１）の暖房を行う工程と、（ｙ）前記工程（ｘ）の後、前記室内の空気に含まれる前記揮発性物質（１１）の除去を行う工程とを、前記工程（ａ）の前に更に備える。
【００１２】
この発明の請求項３にかかる室内空気保全方法は、（ａ）室内（１）の揮発性物質（１１）の濃度（ｎ）を測定し、これが所定値（ε２）に達するまで、前記室内の暖房を行う工程と、（ｂ）前記工程（ａ）の後、前記室内の空気に含まれる前記揮発性物質の除去を行う工程とを備える。
【００１３】
この発明の請求項４にかかる室内空気保全方法は、請求項３記載の室内空気保全方法であって、前記揮発性物質（１１）は、前記室内（１）にある部材（１００）に含まれ、前記所定値（ε２）は、前記部材の前記揮発性物質の含有量と、前記室内の環境とに基づいて求められる。
【００１４】
この発明の請求項５にかかる室内空気保全方法は、請求項３または請求項４記載の室内空気保全方法であって、前記ステップ（ｂ）は前記濃度（ｎ）が所定の閾値未満となるまで続けられる。
【００１５】
この発明の請求項６にかかる室内空気保全方法は、請求項１乃至請求項５のいずれか一つに記載の室内空気保全方法であって、前記暖房は、通常設定される室温より高い温度で実行される。
【００１６】
この発明の請求項７にかかる室内空気保全方法は、請求項６記載の室内空気保全方法であって、前記揮発性物質（１１）は、前記室内（１）にある部材（１００）に含まれ、前記暖房は、前記部材が損傷される温度未満で実施される。
【００１７】
この発明の請求項８にかかる室内空気保全方法は、請求項６または請求項７記載の室内空気保全方法であって、前記揮発性物質（１１）は、前記室内（１）にある部材（１００）に含まれ、前記室内の温度を高める場合には、前記部材が損傷される昇温速度未満で前記暖房を行う。
【００１８】
この発明の請求項９にかかる室内空気保全方法は、請求項１乃至請求項８のいずれか一つに記載の室内空気保全方法であって、前記除去では、前記室内を換気する。
【００１９】
この発明の請求項１０にかかる室内空気保全方法は、請求項１乃至請求項８のいずれか一つに記載の室内空気保全方法であって、前記除去では、前記揮発性物質の捕集及び分解の少なくとも一方を行う。
【００２０】
この発明の請求項１１にかかる室内空気保全システムは、室内（１）の暖房を行う空調機（２）と、前記室内の揮発性物質（１１）の濃度（ｎ）を測定するセンサ（４）と、前記室内の空気に含まれる前記揮発性物質の除去を行う除去部（３；６）と、制御部（５）とを備え、前記制御部は、（ａ）前記空調機により第１の所定時間（Ｔ１）で前記暖房を行う制御と、（ｂ）前記制御（ａ）の後、前記センサにより前記濃度を測定する制御と、（ｃ）前記制御（ｂ）の後、前記除去部により前記除去を行う制御とを実行し、前記濃度が所定の閾値（ε１）以上であれば、前記制御部は前記制御（ａ）〜（ｃ）を繰り返す。
【００２１】
この発明の請求項１２にかかる室内空気保全システムは、請求項１１記載の室内空気保全システムであって、前記制御部（５）は、（ｘ）前記空調機（２）により第２の所定時間（Ｔ２）で前記暖房を行う制御と、（ｙ）前記制御（ｘ）の後、前記除去部（３；６）により前記除去を行う制御とを、前記制御（ａ）の前に実行する。
【００２２】
この発明の請求項１３にかかる室内空気保全システムは、室内（１）の暖房を行う空調機（２）と、前記室内の揮発性物質（１１）の濃度（ｎ）を測定するセンサ（４）と、前記室内の空気に含まれる前記揮発性物質の除去を行う除去部（３；６）と、制御部（５）とを備え、前記制御部は、（ａ）前記センサにより前記濃度を測定し、これが所定値（ε２）に達するまで前記空調機により前記暖房を行う制御と、（ｂ）前記制御（ａ）の後、前記除去部により前記除去を行う制御とを実行する。
【００２３】
この発明の請求項１４にかかる室内空気保全システムは、請求項１３記載の室内空気保全システムであって、前記揮発性物質（１１）は、前記室内（１）にある部材（１００）に含まれ、前記所定値（ε２）は、前記部材の前記揮発性物質の含有量と、前記室内の環境とに基づいて求められる。
【００２４】
この発明の請求項１５にかかる室内空気保全システムは、請求項１３または請求項１４記載の室内空気保全システムであって、前記制御（ｂ）は前記濃度（ｎ）が所定の閾値未満となるまで続けられる。
【００２５】
この発明の請求項１６にかかる室内空気保全システムは、請求項１１乃至請求項１５のいずれか一つに記載の室内空気保全システムであって、前記暖房は、通常設定される室温より高い温度で実行される。
【００２６】
この発明の請求項１７にかかる室内空気保全システムは、請求項１６記載の室内空気保全システムであって、前記揮発性物質（１１）は、前記室内（１）にある部材（１００）に含まれ、前記暖房は、前記部材が損傷される温度未満で実施される。
【００２７】
この発明の請求項１８にかかる室内空気保全システムは、請求項１６または請求項１７記載の室内空気保全システムであって、前記揮発性物質（１１）は、前記室内（１）にある部材（１００）に含まれ、前記室内の温度を高める場合には、前記部材が損傷される昇温速度未満で前記暖房を行う。
【００２８】
この発明の請求項１９にかかる室内空気保全システムは、請求項１１乃至請求項１８のいずれか一つに記載の室内空気保全システムであって、前記除去部（３）は換気装置であって、前記除去では、前記換気装置により前記室内を換気する。
【００２９】
この発明の請求項２０にかかる室内空気保全システムは、請求項１１乃至請求項１８のいずれか一つに記載の室内空気保全方法であって、前記除去部（６）は空気清浄機であって、前記除去では、前記空気清浄機により前記揮発性物質（１１）の捕集及び分解の少なくとも一方を行う。
【００３０】
この発明の請求項２１にかかる空調機は、前記室内の揮発性物質（１１）の濃度（ｎ）を測定するセンサ（４）と、前記室内の空気に含まれる前記揮発性物質の除去を行う除去部（３１）と、制御部（５）とを備え、前記制御部は、（ａ）第１の所定時間（Ｔ１）で暖房を行う制御と、（ｂ）前記制御（ａ）の後、前記センサにより前記濃度を測定する制御と、（ｃ）前記制御（ｂ）の後、前記除去部により前記除去を行う制御とを実行し、前記濃度が所定の閾値（ε１）以上であれば、前記制御部は前記制御（ａ）〜（ｃ）を繰り返す。
【００３１】
この発明の請求項２２にかかる空調機は、請求項２１記載の空調機であって、前記制御部（５）は、（ｘ）第２の所定時間（Ｔ２）で前記暖房を行う制御と、（ｙ）前記制御（ｘ）の後、前記除去部（３１）により前記除去を行う制御とを、前記制御（ａ）の前に実行する。
【００３２】
この発明の請求項２３にかかる空調機は、前記室内の揮発性物質（１１）の濃度（ｎ）を測定するセンサ（４）と、前記室内の空気に含まれる前記揮発性物質の除去を行う除去部（３１）と、制御部（５）とを備え、前記制御部は、（ａ）前記センサにより前記濃度を測定し、これが所定値（ε２）に達するまで暖房を行う制御と、（ｂ）前記制御（ａ）の後、前記除去部により前記除去を行う制御とを実行する。
【００３３】
この発明の請求項２４にかかる空調機は、請求項２３記載の空調機であって、前記揮発性物質（１１）は、前記室内（１）にある部材（１００）に含まれ、前記所定値（ε２）は、前記部材の前記揮発性物質の含有量と、前記室内の環境とに基づいて求められる。
【００３４】
この発明の請求項２５にかかる空調機は、請求項２３または請求項２４記載の空調機であって、前記制御（ｂ）は前記濃度（ｎ）が所定の閾値未満となるまで続けられる。
【００３５】
この発明の請求項２６にかかる空調機は、請求項２１乃至請求項２５のいずれか一つに記載の空調機であって、前記暖房は、通常設定される室温より高い温度で実行される。
【００３６】
この発明の請求項２７にかかる空調機は、請求項２６記載の空調機であって、前記揮発性物質（１１）は、前記室内（１）にある部材（１００）に含まれ、前記暖房は、前記部材が損傷される温度未満で実施される。
【００３７】
この発明の請求項２８にかかる空調機は、請求項２６または請求項２７記載の空調機であって、前記揮発性物質（１１）は、前記室内（１）にある部材（１００）に含まれ、前記室内の温度を高める場合には、前記部材が損傷される昇温速度未満で前記暖房を行う。
【００３８】
この発明の請求項２９にかかる空調機は、請求項２１乃至請求項２８のいずれか一つに記載の空調機であって、前記除去部（３１）は前記室内を換気する。
【００３９】
この発明の請求項３０にかかる空調機は、請求項２１乃至請求項２８のいずれか一つに記載の空調機であって、前記除去部（３１）は前記揮発性物質（１１）を捕集及び分解の少なくとも一方を行う。
【発明の効果】
【００４０】
この発明の請求項１にかかる室内空気保全方法、請求項１１にかかる室内空気保全システムもしくは請求項２１にかかる空調機によれば、工程（ａ）によって揮発性物質の揮発を促進する。しかも、工程（ａ）〜（ｃ）を実行することで、揮発が促進されても工程（ｂ）で得られる濃度が閾値未満となる。よって、揮発性物質が例えば室内に露出した部材から十分に放出される。
【００４１】
この発明の請求項２にかかる室内空気保全方法、請求項１２にかかる室内空気保全システムもしくは請求項２２にかかる空調機によれば、予め、大まかに揮発性物質を部材から放出することにより、工程（ａ）〜（ｃ）の繰り返し回数が低減される。
【００４２】
この発明の請求項３にかかる室内空気保全方法、請求項１３にかかる室内空気保全システムもしくは請求項２３にかかる空調機によれば、工程（ａ）によって揮発性物質の揮発が促進されるので、揮発性物質が例えば部材から十分に放出されるまでの所要の時間が短縮される。
【００４３】
この発明の請求項４にかかる室内空気保全方法、請求項１４にかかる室内空気保全システムもしくは請求項２４にかかる空調機によれば、到達することのできる揮発性物質の濃度が見積もられる。
【００４４】
この発明の請求項５にかかる室内空気保全方法、請求項１５にかかる室内空気保全システムもしくは請求項２５にかかる空調機によれば、揮発性物質に対する人の安全が確保できる。
【００４５】
この発明の請求項６にかかる室内空気保全方法、請求項１６にかかる室内空気保全システムもしくは請求項２６にかかる空調機によれば、高い温度で暖房を実行した後、通常設定される室温に低下させることで、当該室温において揮発性物質が不要に揮発することがない。
【００４６】
この発明の請求項７または請求項８にかかる室内空気保全方法、請求項１７または請求項１８にかかる室内空気保全システムもしくは請求項２７または請求項２８にかかる空調機によれば、暖房による部材の損傷が回避される。
【００４７】
この発明の請求項９または請求項１０にかかる室内空気保全方法、請求項１９または請求項２０にかかる室内空気保全システムもしくは請求項２９または請求項３０にかかる空調機によれば、揮発した揮発性物質が室内から除去される。
【発明を実施するための最良の形態】
【００４８】
第１の実施の形態．
図１は、本実施の形態にかかる室内空気保全システムを概念的に示すブロック図である。室内空気保全システムは、空調機２、換気装置３、センサ４及び制御部５を備え、例えば室内１に設けられる。ただし、制御部５は室内外のいずれに備えてもよく、図１では室外に備えられている。
【００４９】
また、揮発性物質１１を含有する部材１００（例えば建材、家具など）が、室内１に設けられている。図１では部材１００から揮発性物質１１が揮発している状態が示されている。揮発性物質１１は、例えば室内１の壁などにも含まれ、そこから揮発することもある。
【００５０】
空調機２は、室内１の温度を、通常設定する温度にすることもできるし、後述するように意図的に、通常設定する温度よりも高い温度に暖房することもできる。もちろん、冷房の機能を備えていてもよい。
【００５１】
換気装置３は、室内１の空気を、室外へと排気する。
【００５２】
センサ４は、室内１の揮発性物質である揮発性物質の濃度を検出する。
【００５３】
制御部５は、空調機２、換気装置３及びセンサ４を、図２のフローチャートに則って次のように制御する。ステップ１０１，１０２は後述する。空調機２を制御することで、所定時間Ｔ１だけ室内１を暖房する（ステップ１０３）。これにより、部材１００からの揮発性物質１１の揮発が促進され、室内１の揮発性物質１１の濃度が上昇する。
【００５４】
所定時間Ｔ１経過後に、センサ４を制御することで、室内１の揮発性物質１１の濃度ｎを検出する（ステップ１０４）。
【００５５】
その後、換気装置３を制御することで、室内１の空気を室外へと排気して、その空気に含まれる揮発性物質１１を除去する（ステップ１０５）。室内１の揮発性物質１１の濃度が低減する。
【００５６】
センサ４から得た濃度ｎが所定の閾値ε１と比較される（ステップ１０６）。濃度ｎが所定の閾値ε１より小さければ制御を終了する。濃度ｎが所定の閾値ε１以上であれば、ステップ１０３へ戻り、さらに暖房を所定時間Ｔ１だけ行い、濃度ｎを測定して（ステップ１０４）、室内１を換気する（ステップ１０５）。そして、センサ４で検出される濃度ｎが所定の閾値ε１より小さくなるまで、上記制御を繰り返す。
【００５７】
２度目以降の繰り返し時の暖房では、所定時間Ｔ１は、前回に行った暖房の所定時間Ｔ１と異なっていてもよい。
【００５８】
所定の閾値ε１には、例えば人体への影響が無視できる程度の揮発性物質１１の濃度が採用される。
【００５９】
上述した室内空気保全技術によれば、室内１の暖房、濃度ｎの検出および室内１の換気を実行することで、揮発性物質１１の揮発が促進されても、センサ４で検出される濃度が閾値未満となる。よって、揮発性物質１１が例えば室内１に露出した部材１００から十分に放出される。
【００６０】
本実施の形態では、例えば上記したステップ１０３から始まる制御を行う前に、予め揮発性物質１１を放出しておいもよい。このときの制御も、制御部５によって実行することができる。具体的には、空調機２を制御することで、所定時間Ｔ２だけ室内１を暖房する（ステップ１０１）。所定時間Ｔ２は、上記した所定時間Ｔ１と同じでも異なっていてもよいが、特に所定時間Ｔ１より長く設定することが、揮発性物質１１がより多く放出される点で望ましい。
【００６１】
所定時間Ｔ２経過後、換気装置３を制御すること（ステップ１０２）で、室内１を換気して、室内１の空気に含まれる揮発性物質１１を除去する。
【００６２】
このように暖房および換気を予め行うことで、大まかに揮発性物質１１を部材１００から放出することができ、その後に行う室内１の暖房、濃度ｎの検出および室内１の換気の制御の繰り返し回数が低減される。
【００６３】
第２の実施の形態．
本実施の形態では、第１の実施の形態で説明した制御部５の、第１の実施の形態とは異なる制御について図３のフローチャートを用いて説明する。
【００６４】
制御部５は、センサ４を制御することで、室内１の揮発性物質１１の濃度ｎを検出する（ステップ２０１）。そして、検出した濃度ｎを所定値ε２と比較し（ステップ２０２）、濃度ｎが所定値ε２に達するまで室内１を暖房する（ステップ２０３）。すなわち、揮発性物質１１の揮発を促進することで、濃度ｎを上昇させる。
【００６５】
所定値ε２は、室内１の暖房によって到達することができる濃度であることが望ましく、例えば、部材１００の揮発性物質１１の含有量と、室内１の環境とに基づいて求められる。当該含有量には、例えば部材１００に使用される材質毎に実際に測定された値が採用できる。また、室内１の環境には、例えば室内１の温度や、室内１の空気の容積などが採用できる。
【００６６】
部材１００の製造から所定時間が経過している場合には、当該所定時間で揮発した揮発性物質の量を見積もることで、現在の部材１００の揮発性物質１１の含有量を求めてもよい。
【００６７】
あるいは、センサ４で検出した濃度ｎと、その検出時の室内１の温度などの環境とに基づいて、所定値ε２を求めてもよい。
【００６８】
濃度ｎが所定値ε２に達した後は、換気装置３を制御すること（ステップ２０４）で、室内１を換気して、室内１の空気に含まれる揮発性物質１１を除去する。
【００６９】
このとき、室内１の揮発性物質１１の濃度ｎが所定の閾値未満となるまで換気を行うことが望ましい。所定の閾値として、例えば揮発性物質１１による人体への影響が回避できる程度の値を採用することで、揮発性物質１１に対する人の安全が確保できる。
【００７０】
その後、制御を終了する。
【００７１】
上述した室内空気保全技術によれば、揮発性物質１１が部材１００から十分に放出されるまでの所要の時間が短縮される。
【００７２】
上述したいずれの実施の形態においても、換気装置３に代えて、例えば空気清浄機を採用してもよい。図４は、空気清浄機６を備える室内環境保全システムを概念的に示すブロック図である。図４で示される構成要素のうち、図１で示される構成要素と同じものには、同符号が付されている。
【００７３】
空気清浄機６は、揮発性物質１１を含んだ室内１の空気を吸入し、揮発性物質１１が除去された空気を、例えば再び室内１へと排出する。具体的には、フィルタによって揮発性物質１１を捕集してもよいし、空気清浄機６内で発生させたプラズマによって揮発性物質１１を分解し、無害化してもよい。
【００７４】
換気装置３及び空気清浄機６はいずれも、室内１の空気に含まれる揮発性物質１１の除去を行うので、除去部と把握することができる。
【００７５】
上述したいずれの実施の形態においても、空調機２が、除去部３１、センサ４及び制御部５を備えてもよく、図５は、このような空調機２を概念的に示す。図５では、空調機２で行われる暖房が、特に空調機２が備える空調部２１で行われる場合が示されている。この場合、制御部５は、空調部２１を制御することで、室内１を暖房する。
【００７６】
除去部３１は、上記した換気装置３もしくは空気清浄機６と同様の機能を有する。
【００７７】
このような空調機２においても、第１の実施の形態もしくは本実施の形態で説明した制御を行うことができ、各々同様の効果が得られる。
【００７８】
また、除去部３１が空気清浄機６と同様の機能を有する場合には、この空調機２は、空調部２１、センサ４及び制御部５を備えた空気清浄機６と把握することもできる。
【００７９】
部材１００からの揮発性物質１１の揮発は温度低下とともに低減される。従って、上述したいずれの実施の形態においても、暖房は、通常設定される室温よりも高い温度で実行されることが望ましい。なぜなら、高い温度で暖房を実行した後、通常設定される室温に低下させることで、当該室温において揮発性物質が不要に揮発することがないからである。
【００８０】
上述したように温度を高める場合には、到達する温度が、部材１００が損傷される温度未満であることが、暖房による部材１００の損傷を回避する点で特に望ましい。
【００８１】
また、昇温速度が、部材１００が損傷される昇温速度未満であることも、暖房による部材１００の損傷を回避する点で特に望ましい。
【図面の簡単な説明】
【００８２】
【図１】第１の実施の形態で説明される、室内空気保全システムを概念的に示すブロック図である。
【図２】制御部５の制御を概念的に示すフローチャート図である。
【図３】第２の実施の形態で説明される、制御部５の制御を概念的に示すフローチャート図である。
【図４】空気清浄機を備えた室内空気保全システムを概念的に示すブロック図である。
【図５】空調機を概念的に示すブロック図である。
【符号の説明】
【００８３】
１  室内
２  空調機
３  換気装置
４  センサ
５  制御部
６  空気洗浄機
３１  除去部
１１  揮発性物質
１００  部材
Ｔ１，Ｔ２  所定時間
ｎ  濃度
ε１  所定の閾値
ε２  所定値
【図１】
2006046847.tif 000003
【図２】
2006046847.tif 000004
【図３】
2006046847.tif 000005
【図４】
2006046847.tif 000006
【図５】
2006046847.tif 000007